(57)【要約】  本開示の一態様に係るユーザ端末は、復調用参照信号用の複数のアンテナポートにそれぞれ関連付けられる複数のレイヤを用いて、同一のトランスポートブロックに基づいて生成される複数のコードワードを受信する受信部と、前記複数のコードワードのソフトコンバイニングを制御する制御部と、を具備することを特徴とする。
2020075233.tif 000002
【特許請求の範囲】
【請求項１】
復調用参照信号用の複数のアンテナポートにそれぞれ関連付けられる複数のレイヤを用いて、同一のトランスポートブロックに基づいて生成される複数のコードワードを受信する受信部と、
前記複数のコードワードのソフトコンバイニングを制御する制御部と、
を具備することを特徴とするユーザ端末。
【請求項２】
前記受信部は、前記複数のコードワードをそれぞれスケジューリングする複数の下り制御情報を受信することを特徴とする請求項１に記載のユーザ端末。
【請求項３】
前記制御部は、前記複数の下り制御情報の少なくとも一つの、巡回冗長符号（ＣＲＣ）のスクランブルに用いられる無線ネットワーク一時識別子（ＲＮＴＩ）、サーチスペース、フォーマット、又は、一以上のフィールドの値に基づいて、前記複数のコードワードのソフトコンバイニングを制御することを特徴とする請求項２に記載のユーザ端末。
【請求項４】
前記受信部は、前記複数のコードワードをスケジューリングする単一の下り制御情報を受信することを特徴とする請求項１に記載のユーザ端末。
【請求項５】
前記制御部は、前記単一の下り制御情報の、巡回冗長符号（ＣＲＣ）のスクランブルに用いられる無線ネットワーク一時識別子（ＲＮＴＩ）、サーチスペース、フォーマット、又は、一以上のフィールドの値に基づいて、前記複数のコードワードのソフトコンバイニングを制御することを特徴とする請求項３に記載のユーザ端末。
【請求項６】
前記制御部は、上位レイヤシグナリングにより設定される情報に基づいて、前記複数のコードワードのソフトコンバイニングを制御することを特徴とする請求項１から請求項５のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、ＮＲともいう）では、チャネル及び信号の少なくとも一つ（チャネル／信号）を繰り返して（repetition）送信することが検討されている。具体的には、異なる複数の時間領域リソース又は周波数領域リソースでチャネル／信号を繰り返して送信することが検討されている。【０００７】
しかしながら、同一のチャネル／信号を異なる複数の時間領域リソース又は周波数領域リソースで繰り返して送信する場合、チャネル／信号のロバスト性（robustness）を向上させることができる一方で、時間領域リソース及び周波数領域リソースの少なくとも一つの利用効率が低下する結果、システム容量が低下する恐れがある。【０００８】
そこで、本開示は、システム容量の低下を防止しながら、チャネル／信号のロバスト性を向上可能なユーザ端末を提供することを目的の１つとする。
【課題を解決するための手段】
【０００９】
本開示の一態様に係るユーザ端末は、復調用参照信号用の複数のアンテナポートにそれぞれ関連付けられる複数のレイヤを用いて、同一のトランスポートブロックに基づいて生成される複数のコードワードを受信する受信部と、前記複数のコードワードのソフトコンバイニングを制御する制御部と、を具備することを特徴とする。
【発明の効果】
【００１０】
本開示の一態様によれば、システム容量の低下を防止しながら、チャネル／信号のロバスト性を向上できる。
【図面の簡単な説明】
【００１１】
【図１】複数のＴＲＰを用いたチャネル／信号の繰り返し送信の一例を示す図である。
【図２】一実施形態に係る複数のＴＲＰを用いたチャネル／信号の繰り返し送信の一例を示す図である。
【図３】第１の態様に係るスケジューリングの一例を示す図である。
【図４】図４Ａ及び４Ｂは、第１の態様に係るＣＷ＃１及び＃２のスケジューリングに用いられるＤＣＩ＃１及び＃２の一例を示す図である。
【図５】第２の態様に係るスケジューリングの一例を示す図である。
【図６】図６Ａ〜６Ｃは、第２の態様に係るＣＷ＃１及び＃２のスケジューリングに用いられるＤＣＩの一例を示す図である。
【図７】一実施形態に係る無線通信システムの概略構成の一例を示す図である。
【図８】一実施形態に係る基地局の構成の一例を示す図である。
【図９】一実施形態に係るユーザ端末の構成の一例を示す図である。
【図１０】一実施形態に係る基地局及びユーザ端末のハードウェア構成の一例を示す図である。
【発明を実施するための形態】
【００１２】
ＮＲでは、チャネル及び信号の少なくとも一つ（チャネル／信号）を繰り返して（repetition）送信することが検討されている。当該チャネル／信号は、例えば、下り共有チャネル（例えば、ＰＤＳＣＨ：Physical  Downlink  Shared  Channel）、下り制御チャネル（例えば、ＰＤＣＣＨ：Physical  Downlink  Control  Channel）、上り共有チャネル（ＰＵＳＣＨ：Physical  Uplink  Shared  Channel）、上り制御チャネル（例えば、ＰＵＣＣＨ：Physical  Uplink  Control  Channel）、下り参照信号（ＤＬ−ＲＳ：Downlink-Reference  Signal）、上り参照信号（ＵＬ−ＲＳ：Uplink-Reference  Signal）等であるが、これに限られない。
【００１３】
また、ＮＲでは、当該チャネル／信号の繰り返し送信を複数の送受信ポイント（ＴＲＰ：Transmission  and  Reception  Point）を用いて行うことも検討されている。ここで、「ＴＲＰ」は、ネットワーク、基地局、アンテナ装置、アンテナパネル、アンテナ、サービングセル、セル、コンポーネントキャリア（ＣＣ）又はキャリア等と、言い換えられてもよい。
【００１４】
図１は、複数のＴＲＰを用いたチャネル／信号の繰り返し送信の一例を示す図である。複数のＴＲＰを用いたチャネル／信号の繰り返し送信は、異なる複数の時間領域リソース（例えば、複数のスロット又はシンボル）及び異なる複数の周波数領域リソース（例えば、リソースブロック（複数の物理リソースブロック（ＰＲＢ：Physical  Resource  Block）））の少なくとも一つで行われてもよい。
【００１５】
例えば、図１では、ＰＤＳＣＨは、異なる複数の時間領域リソース（例えば、複数のスロット）間で繰り返され、繰り返し毎に異なるＴＲＰ（ここでは、ＴＲＰ＃１〜＃４）から送信される。
【００１６】
図１に示すように、異なる時間領域リソース又は周波数領域リソースでチャネル／信号を繰り返して送信する場合、チャネル／信号のロバスト性（robustness）を向上させることができる。一方で繰り返し毎に異なる時間領域リソース又は周波数領域リソースが用いられるため、システム容量が低下する恐れがある。
【００１７】
ところで、ＮＲでは、同一の時間領域リソース及び周波数領域リソース（時間／周波数領域リソース）を用いて複数のＴＲＰから異なるデータを並列送信するＭＩＭＯ（Multiple  Input  Multiple  Output）伝送が採用されている。
【００１８】
ＭＩＭＯ伝送では、同一の時間／周波数領域リソースを用いて異なる空間領域リソースで異なるデータが送信される。ここで、空間領域リソースは、例えば、レイヤ、アンテナポート、復調用参照信号（ＤＭＲＳ：Demodulation  Reference  Signal）のアンテナポート（ＤＭＲＳポート）、ビーム、ＴＲＰ等であってもよい。
【００１９】
例えば、ＮＲ  Ｒｅｌ．１５のＭＩＭＯ伝送では、最大２つの（up  to  two）トランスポートブロック（ＴＢ：Transport  Block）が複数のレイヤ（例えば、最大８レイヤ）で送信される。各レイヤは、ＤＭＲＳポートに関連付けられてもよい（associate）。ここで、ＴＢとは、物理レイヤにおけるデータ（ユーザデータ及び上位レイヤ制御情報の少なくとも一つを含んでもよい）の送信単位である。
【００２０】
このようなＭＩＭＯ伝送（複数のレイヤの利用）では、空間領域（異なるレイヤ）で異なるＴＢが多重（空間分割多重（ＳＤＭ：Spatial  Divisional  Multiplexing））されるので、システム容量を増大できる。一方、空間領域で同一のＴＢをＳＤＭすれば、ロバスト性の向上にも寄与し得る（contribute）。
【００２１】
そこで、本発明者らは、空間領域（異なるレイヤ）で同一のＴＢを繰り返して送信（すなわち、ＳＤＭ）し、ＵＥがＳＤＭされた複数のＴＢをソフトコンバイニング（soft  combining）することにより、空間ダイバーシチゲインを得ることができ、ロバスト性を向上できる点に着目して、本発明に至った。
【００２２】
以下、本開示の一実施形態について、図面を参照して詳細に説明する。なお、以下では、空間領域におけるＰＤＳＣＨの繰り返し送信について説明するが、他の下りチャネル（例えば、ＰＤＣＣＨ）及び上りチャネル（例えば、ＰＵＳＣＨ、ＰＵＣＣＨ）についても適宜適用可能である。
【００２３】
本開示の一実施形態では、同一のＴＢに基づいて複数のコードワード（ＣＷ：Code  Word）が生成される。当該複数のＣＷの各々は、一以上のレイヤにマッピングされて送信される。各レイヤは、ＤＭＲＳポートに関連付けられる。
【００２４】
ここで、コードワード（ＣＷ）とは、ＴＢに基づいて生成される符号化ビット（coded  bit）のシーケンス（sequence）（セット）である。ＣＷは、誤り保護（error  protection）機能を有するＴＢともいえる。例えば、一つのＴＢに以下の処理を施して一つのＣＷが生成されてもよい。
・一つのＴＢに対して、誤り検出（error  detection）のために所定ビット数の巡回冗長検査（ＣＲＣ：Cyclic  Redundancy  Check）を付加（attach）。
・ＣＲＣが付加されたＴＢを、一以上のコードブロック（ＣＢ：Code  Block）に分割（segment）。
・分割された各ＣＢを、誤り訂正（error  correction）のために、所定の符号（例えば、低密度パリティ検査符号（ＬＤＣＰ  code：Low  density  parity  check  coding  code））を用いて符号化。
・符号化された各ＣＢに、レートマッチング及び物理レイヤのＨＡＲＱ（Hybrid  Automatic  Repeat  reQuest）を適用。
・以上のように処理された一以上のＣＢを再び結合（re-assemble）して一つのＣＷを生成。
【００２５】
なお、レートマッチングでは、サーキュラーバッファに書き込まれた符号化ビットが冗長バージョン（ＲＶ：Redundancy  Version）に基づいてサーキュラーバッファから取り出される。異なるＲＶを選択することにより、同一の情報ビットのセット（same  set  of  information  bit）を示す異なる符号化ビットのセット（different  set  of  coded  bit）が生成されてもよい。
【００２６】
上記複数のＣＷは、同一のＴＢに対して、異なる装置（例えば、異なるＴＲＰ）で上記処理を施して生成されてもよい。また、当該複数のＣＷ間において、上記ＲＶは同一でもよいし、又は、異なってもよい。
【００２７】
また、上記複数のＣＷは、同一のＴＢ、同一のデータを構成する情報ビット系列、コードブロック（ＣＢ：Code  Block）、一以上のコードブロックを含むコードブロックグループ（ＣＢＧ：Code  Block  Group）、トランスポートブロック（ＴＢ：Transport  Block）、コードワード（Codeword）、符号化後の符号語系列の少なくとも一つを複製（duplicate）して生成されてもよい。
【００２８】
なお、「複製」とは、必ずしも同じビット列全ての複製を表すものではなく、同じ情報ビット列から生成される符号語の少なくとも一部、もしくは変調シンボル系列の少なくとも一部を複製することであってもよい。例えば、複製された複数のＣＷ間では、ＲＶは、同一であってもよいし、異なっていてもよい。又は、複製された複数のＣＷは、異なるＲＶまたは同じＲＶを変調して得られる変調シンボル系列であってもよい。
【００２９】
各ＣＷは、所定の系列を用いてスクランブリングされ、所定の変調方式で変調される。各ＣＷ（各ＣＷの変調シンボル）は、一以上のレイヤ（例えば、最大４レイヤ（up  to  four  layers））にマッピングされる。ここで、レイヤは、ＭＩＭＯにおけるストリームに相当し、ＭＩＭＯにおいて同時に送信可能なストリーム数がレイヤの数に相当する。
【００３０】
各ＣＷがマッピングされる一以上のレイヤは、レイヤの数及びＣＷの数に基づいて決定されてもよい。例えば、８レイヤ及び２ＣＷの場合、第１のＣＷはレイヤ＃０〜＃３にマッピングされ、第２のＣＷはレイヤ＃４〜＃７にマッピングされてもよい。
【００３１】
各レイヤは、ＤＭＲＳポートにマッピングされる。具体的には、各レイヤは、所定のＤＭＲＳポートグループに属するＤＭＲＳポートにマッピングされてもよい。ここで、ＤＭＲＳポートグループは、一以上のＤＭＲＳポートのグループであり、ＴＲＰ毎に形成されてもよい。
【００３２】
なお、「ＤＭＲＳポートグループ」及び「ＤＭＲＳポート」は互換的に用いられ、互いに言い換えられてもよい。また、「ＣＷ」、「ＴＢ」及び「データ」は互換的に用いられ、互いに言い換えられてもよい。
【００３３】
図２は、一実施形態に係る複数のＴＲＰを用いたチャネル／信号の繰り返し送信の一例を示す図である。例えば、図２では、同一のＴＢに基づいて生成される２つのＣＷ＃１及び＃２が異なるＴＲＰ＃１及び＃２からＰＤＳＣＨ＃１及び＃２を用いて送信される一例が示される。また、図２では、８レイヤでＣＷ＃１及び＃２が送信されるものとするが、レイヤ数は、２以上であればよい。
【００３４】
ＣＷ＃１のレートマッチングはＲＶ０を用いて行われ、ＣＷ＃２のレートマッチングはＲＶ３を用いて行われてもよい。例えば、ＣＷ＃１は、ＤＭＲＳポートグループ＃１内のＤＭＲＳポート＃０〜＃３にそれぞれ関連付けられるレイヤ＃０〜＃３にマッピングされてもよい。一方、ＣＷ＃２は、ＤＭＲＳポートグループ＃２内のＤＭＲＳポート＃４〜＃７にそれぞれ関連付けられるレイヤ＃４〜＃７にマッピングされてもよい。
【００３５】
図２に示すように、異なるＤＭＲＳポートグループ（又はＤＭＲＳポート）間では、疑似コロケーション（ＱＣＬ：Quasi-Co-Location）の関係（ＱＣＬ関係）が異なってもよい。ここで、ＱＣＬとは、チャネル／信号の統計的性質を示す指標である。例えば、ＤＭＲＳポートグループと他の信号（又は当該他の信号のアンテナポート）がＱＣＬ関係にあることは、当該ＤＭＲＳポートグループについてのドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが他の信号と同一であると仮定できることであってもよい。
【００３６】
ＤＭＲＳポートグループとＱＣＬ関係となる他の信号は、参照信号（例えば、チャネル状態情報参照信号（ＣＳＩ−ＲＳ：Channel  State  Information  Reference  Signal）、同期信号ブロック（ＳＳＢ：Synchronization  Signal  Block））等であってもよい。ＳＳＢは、プライマリ同期信号（ＰＳＳ：Primary  Synchronization  Signal）、セカンダリ同期信号（ＳＳＳ：Secondary  Synchronization  Signal）及びブロードキャストチャネル（ＰＢＣＨ：Physical  Broadcast  Channel）の少なくとも１つを含む信号ブロックであり、ＳＳ／ＰＢＣＨブロック等と呼ばれてもよい。
【００３７】
図２では、ＤＭＲＳポートグループ＃１のＤＭＲＳポート＃０〜＃３はＴＲＰ＃１で用いられ、ＤＭＲＳポートグループ＃２のＤＭＲＳポート＃４〜＃７はＴＲＰ＃２で用いられるので、ＤＭＲＳポートグループ＃１及び＃２は異なるＱＣＬ関係を有する。ＵＥは、ＱＣＬ関係に関する情報を受信し、当該情報に基づいて、ＤＭＲＳポート＃０〜＃３と＃４〜＃７とが異なるＴＲＰに関連付けられることを認識してもよい。
【００３８】
なお、ＱＣＬ関係に関する情報は、送信構成指示（ＴＣＩ：Transmission  Configuration  Indication）の状態（ＴＣＩ状態（TCI  state））、ＴＣＩ状態の識別子、サウンディング参照信号（ＳＲＳ：Sounding  Reference  Signal）用リソースの識別子（ＳＲＩ：SRS  Resource  Indicator）又は空間関連情報（Spatial  related  Info）であってもよい。例えば、ＴＣＩ状態は、ＤＭＲＳポートグループとＱＣＬ関係にある下り参照信号用のリソース（例えば、ＣＳＩ−ＲＳリソースの識別子又はＳＳＢの識別子）を示してもよい。
【００３９】
図２において、ＵＥは、異なるＤＭＲＳポートグループ（又はＤＭＲＳポート）のＤＭＲＳを用いて復調されるＣＷ＃１及び＃２に対して、ソフトコンバイニングを適用してもよい。ＣＷ＃１及び＃２のソフトコンバイニングにより、空間ダイバーシチゲインを得ることできる。この結果、時間／周波数領域リソースの利用効率を向上できるので、繰り返しによるシステム容量の低下を防止しながら、ロバスト性を向上できる。
【００４０】
ここで、ソフトコンバイニングは、異なる受信信号を合成（combine）することである。ソフトコンバイニングは、例えば、ＭＡＣ（Medium  Access  Control）レイヤにおけるＨＡＲＱ（Hybrid  Automatic  Repeat  reQuest）メカニズムの一つであってもよい。ソフトコンバイニングは、チェイスコンバイニング（chase  combining）、インクリメンタル冗長性（incremental  Redundancy）等と呼ばれてもよい。合成される受信信号は、異なるＲＶの複数のＣＷであってもよい。当該複数のＣＷは、同一のＨＡＲＱプロセス番号（ＨＰＮ：HARQ  Process  Number）を有してもよい。
【００４１】
以上のように、同一のＴＢに基づいて生成される複数のＣＷは、それぞれ異なる複数のＤＣＩによってスケジューリングされてもよいし（第１の態様）、単一のＤＣＩによってスケジューリングされてもよい（第２の態様）。
【００４２】
以下では、同一のＴＢに基づいて２つのＣＷがそれぞれ異なる複数のレイヤで送信される例を中心に説明するが、ＣＷの数（すなわち、空間領域における繰り返し数）は２以上であってもよい。
【００４３】
（第１の態様）
第１の態様では、同一のＴＢに基づいて生成される複数のＣＷがそれぞれ異なるＤＣＩによってスケジューリングされる場合について説明する。具体的には、同一のＴＢから生成される２つのＣＷのために、２つのＤＣＩがそれぞれ一以上のレイヤのＰＤＳＣＨのスケジューリングに用いられてもよい。
【００４４】
図３は、第１の態様に係るスケジューリングの一例を示す図である。例えば、図３では、ＤＣＩ＃１は、レイヤ＃０〜＃３（及びＤＭＲＳポート＃０〜＃３）でマッピングされるＰＤＳＣＨ＃１（ＣＷ＃１）をスケジュールする。また、ＤＣＩ＃２は、レイヤ＃４〜＃７（及びＤＭＲＳポート＃４〜＃７）でマッピングされるＰＤＳＣＨ＃２（ＣＷ＃２）をスケジュールする。
【００４５】
また、図３では、レイヤ＃０〜＃３は、ＤＭＲＳポート＃０〜＃３に関連それぞれ関連付けられ、レイヤ＃４〜＃７は、ＤＭＲＳポート＃４〜＃７にそれぞれ関連付けられてもよい。ＤＭＲＳポート＃０〜＃３及び＃４〜＃７は、それぞれ異なるＤＭＲＳポートグループに属してもよい。
【００４６】
図３において、各ＤＣＩは、スケジューリングするＤＭＲＳポートグループのＱＣＬ関係に関する情報（ＴＣＩ状態又はＴＣＩ状態の識別子）を含んでもよい。複数のＤＭＲＳポートグループが異なるＱＣＬ関係（ＴＣＩ状態）を有することは、当該複数のＤＭＲＳポートグループに対応するＰＤＳＣＨ＃１及び＃２（例えば、ＣＷ＃０及び＃１）がそれぞれ異なるＴＲＰから送信されること（例えば、図２参照）と同義であってもよい。
【００４７】
図３において、ＵＥは、サーチスペース又は当該サーチスペースを構成するＰＤＣＣＨ候補を監視（monitor）（ブラインド復号）して、当該ＤＣＩ＃１及び＃２を検出してもよい。ＤＣＩ＃１及び＃２は、同一のサーチスペースで検出されてもよいし、異なるサーチスペースで検出されてもよい。サーチスペースは、一以上のサーチスペースを含むセット（サーチスペースセット）等と言い換えられてもよい。
【００４８】
当該サーチスペースは、制御リソースセット（ＣＯＲＥＳＥＴ：Control  Resource  Set）に関連付けられてもよい。ＣＯＲＥＳＥＴは、セル（サービングセル、キャリア、コンポーネントキャリア等ともいう）又は当該セル内の部分的な帯域（帯域幅部分（ＢＷＰ：Bandwidth  Part））に設定（configure）されてもよい。
【００４９】
図３に示すように、同一のＴＢから生成されるＣＷ＃１及び＃２が異なるＤＣＩ＃１及び＃２によってスケジューリングされる場合、ＵＥは、異なるＤＭＲＳポートグループ（レイヤ）のＰＤＳＣＨで送信されるＣＷ＃１及び＃２のソフトコンバイニングを制御してもよい。例えば、ＵＥは、以下の第１〜第３のソフトコンバイニング制御の少なくとも一つを適用してもよい。
【００５０】
（１）第１のソフトコンバイニング制御
単一のＴＢのＣＷ＃１及び＃２への複製（TB  duplication  across  two  CWs）が設定（configure）されない場合、ＵＥは、ＣＷ＃１及び＃２のソフトコンバイニングを行わなくともよい。
【００５１】
ここで、「単一のＴＢのＣＷ＃１及び＃２への複製が設定されない」とは、上位レイヤシグナリング（例えば、ＲＲＣ（Radio  Resource  Control）シグナリング）により単一のＴＢのＣＷ＃１及び＃２への複製に関する情報を受信しないこと、又は、当該複製が有効化されないことであってもよい。
【００５２】
この場合、上位レイヤ（例えば、ＰＤＣＰ（Packet  Data  Convergence  Protocol）レイヤ）にて、ＵＥは、ＣＷ＃１及び＃２がそれぞれ復号された２つのパケットが複製（duplicated）されたことを認識し、当該２つの復号されたパケットの一つを破棄してもよい。ＰＤＣＰレイヤは、ＨＡＲＱに基づく再送制御を行うＭＡＣレイヤよりも上位のレイヤであり、パケットレベルでの再送制御を行ってもよい。
【００５３】
或いは、ＵＥは、ＣＷ＃１及び＃２のソフトコンバイニングを行わないけれども、ＵＥは、ＣＷ＃１及び＃２が同一のＴＢに基づくことを認識して、ＣＷ＃１及び＃２の送達確認情報（ＨＡＲＱ−ＡＣＫ：Hybrid  Automatic  Repeat  reQuest  ACKnowledgement、ＡＣＫ又はＮＡＣＫ：ACKnowledgement又はNon-ACK、Ａ／Ｎ等ともいう）のフィードバックを制御してもよい。
【００５４】
例えば、ＵＥは、ＣＷ＃１及び＃２の一方のＣＷが正しく復号される限り、ＡＣＫをフィードバックしてもよい。この場合、ＵＥは、他方のＣＷをケア（care）（例えば、復号）しなくともよい。
【００５５】
（２）第２のソフトコンバイニング制御
単一のＴＢのＣＷ＃１及び＃２への複製が設定される場合、ＵＥは、ＣＷ＃１及び＃２のソフトコンバイニングを行ってもよい。
【００５６】
ここで、「単一のＴＢのＣＷ＃１及び＃２への複製が設定される」とは、上位レイヤシグナリング（例えば、ＲＲＣシグナリング）により単一のＴＢのＣＷ＃１及び＃２への複製に関する情報を受信すること、又は、当該複製が有効化されることであってもよい。
【００５７】
（３）第３のソフトコンバイニング制御
ＵＥは、上記ＤＣＩ＃１及び＃２の少なくとも一つに基づいて、上記ＣＷ＃１及び＃２のソフトコンバイニングを制御してもよい。具体的には、ＵＥは、以下の（３．１）〜（３．４）の少なくとも一つに基づいて、上記ＣＷ＃１及び＃２のソフトコンバイニングを制御してもよい。
（３．１）ＤＣＩ＃１及び＃２の少なくとも一つのＣＲＣのスクランブル（ＣＲＣスクランブル）に用いられる無線ネットワーク一時識別子（ＲＮＴＩ：Radio  Network  Temporary  Identifier）
（３．２）ＤＣＩ＃１及び＃２の少なくとも一つが検出されるサーチスペース
（３．３）ＤＣＩ＃１及び＃２の少なくとも一つのフォーマット（ＤＣＩフォーマット）
（３．４）ＤＣＩ＃１及び＃２の少なくとも一つに含まれる一以上のフィールドの値
【００５８】
（３．１）ＲＮＴＩ
ＵＥは、ＤＣＩ＃１及び＃２の少なくとも一つのＣＲＣスクランブルに用いられるＲＮＴＩが特定のＲＮＴＩ（例えば、Ｘ−ＲＮＴＩ、ＭＣＳ−Ｃ−ＲＮＴＩ等）である場合、ＵＥは、当該ＤＣＩ＃１及び＃２でスケジューリングされるＣＷ＃１及び＃２が単一のＴＢの複製であると理解（consider）（想定（assume）又は予期（expect）ともいう）し、当該ＣＷ＃１及び＃２をソフトコンバイニングしてもよい。
【００５９】
ＵＥは、ＤＣＩ＃１及び＃２の少なくとも一つのＣＲＣスクランブルに用いられるＲＮＴＩが当該特定のＲＮＴＩ以外のＲＮＴＩ（例えば、Ｃ−ＲＮＴＩ：Cell-RNTI）である場合、ＵＥは、当該ＤＣＩ＃１及び＃２でスケジューリングされるＣＷ＃１及び＃２が単一のＴＢの複製ではないと理解し、当該ＣＷ＃１及び＃２をソフトコンバイニングしなくともよい。
【００６０】
（３．２）サーチスペース
ＵＥは、ＤＣＩ＃１及び＃２の少なくとも一つが検出されるサーチスペースが特定の構成である場合、ＵＥは、当該ＤＣＩ＃１及び＃２でスケジューリングされるＣＷ＃１及び＃２が単一のＴＢの複製であると理解し、当該ＣＷ＃１及び＃２をソフトコンバイニングしてもよい。当該特定の構成は、例えば、サーチスペースの識別子（サーチスペースＩＤ）が所定の値（例えば、６）より大きい又は所定の値（例えば、７）以上であることであってもよい。
【００６１】
ＵＥは、ＤＣＩ＃１及び＃２の少なくとも一つが検出されるサーチスペースが当該特定の構成以外の構成（例えば、サーチスペースＩＤが所定の値（例えば、７）より小さい又は所定の値（例えば、６）以下である）である場合、ＵＥは、当該ＤＣＩ＃１及び＃２でスケジューリングされるＣＷ＃１及び＃２が単一のＴＢの複製ではないと理解し、当該ＣＷ＃１及び＃２をソフトコンバイニングしなくともよい。
【００６２】
（３．３）ＤＣＩフォーマット
ＵＥは、ＤＣＩ＃１及び＃２の少なくとも一つが特定のＤＣＩフォーマット（ＤＣＩフォーマット１＿０又は１＿１以外のＤＣＩフォーマット（例えば、ＤＣＩフォーマット１＿２））である場合、ＵＥは、当該ＤＣＩ＃１及び＃２でスケジューリングされるＣＷ＃１及び＃２が単一のＴＢの複製であると理解し、当該ＣＷ＃１及び＃２をソフトコンバイニングしてもよい。
【００６３】
ＵＥは、ＤＣＩ＃１及び＃２の少なくとも一つが当該特定のＤＣＩフォーマット以外のＤＣＩフォーマット（例えば、ＤＣＩフォーマット１＿１ある場合、ＵＥは、当該ＤＣＩ＃１及び＃２でスケジューリングされるＣＷ＃１及び＃２が単一のＴＢの複製ではないとと理解し、当該ＣＷ＃１及び＃２をソフトコンバイニングしなくともよい。
【００６４】
（３．４）ＤＣＩ内の一以上のフィールド値
ＤＣＩ＃１及び＃２の少なくとも一つには、ＣＷ＃１及び＃２が単一のＴＢの複製であるか否かを示す所定ビット数のフィールドが追加されてもよいし（４．１）。或いは、ＤＣＩ＃１及び＃２の少なくとも一つに含まれる一以上のフィールドの値のセットが、ＣＷ＃１及び＃２が単一のＴＢの複製であるか否かを示してもよい（４．２）。図４Ａ及び４Ｂは、第１の態様に係るＣＷ＃１及び＃２のスケジューリングに用いられるＤＣＩ＃１及び＃２の一例を示す図である。
【００６５】
（３．４．１）追加のフィールド
図４Ａに示すように、ＤＣＩ＃１及び＃２には、それぞれ、ＣＷ＃１及び＃２が単一のＴＢの複製であるか否かを示す所定ビット数（例えば、１ビット）のフィールドが追加されてもよい。ＵＥは、当該フィールドの値に基づいて、ＣＷ＃１及び＃２のソフトコンバイニングを制御してもよい。
【００６６】
例えば、ＤＣＩ＃１及び＃２の間で当該フィールドの値が同一である（aligned）（例えば、０又は１である）場合、ＵＥは、当該ＤＣＩ＃１及び＃２でスケジューリングされるＣＷ＃１及び＃２が単一のＴＢの複製であると理解し、当該ＣＷ＃１及び＃２をソフトコンバイニングしてもよい。
【００６７】
或いは、ＤＣＩ＃１及び＃２双方に含まれる当該フィールドの値が１である場合、ＵＥは、当該ＤＣＩ＃１及び＃２でスケジューリングされるＣＷ＃１及び＃２が単一のＴＢの複製であると理解し、当該ＣＷ＃１及び＃２をソフトコンバイニングしてもよい。
【００６８】
（３．４．２）一以上のフィールドの値のセット
図４Ｂに示すように、ＵＥは、ＤＣＩ＃１及び＃２内の既存フィールドの値のセットに基づいて、ＣＷ＃１及び＃２のソフトコンバイニングを制御してもよい。既存フィールドの値のセットは、例えば、以下の少なくとも一つのフィールドの値のセット（フィールド値セット）であればよい。
・変調及び符号化方式（ＭＣＳ：Modulation  and  Coding  Scheme）インデックスを示すフィールド（ＭＣＳフィールド又はＭＣＳインデックスフィールド等ともいう）
・新規データ識別子（ＮＤＩ：New  Data  Indicator）を示すフィールド（ＮＤＩフィールド）
・ＨＡＲＱプロセス番号（ＨＰＮ：HARQ  process  number）を示すフィールド（ＨＰＮフィールド）
・ＲＶを示すフィールド（ＲＶフィールド）
・ＤＭＲＳポートの番号を示すフィールド（アンテナポート（ＡＰ）フィールド）
【００６９】
具体的には、ＤＣＩ＃１及び＃２の間で上記フィールド値セットが同一である（aligned）、及び、ＤＣＩ＃１及び＃２の間で上記フィールド値セットが所定値（例えば、delta）に固定されるという２つの条件の少なくと一つが満たされる場合、ＵＥは、当該ＤＣＩ＃１及び＃２でスケジューリングされるＣＷ＃１及び＃２が単一のＴＢの複製であると理解し、当該ＣＷ＃１及び＃２をソフトコンバイニングしてもよい。
【００７０】
一方、ＤＣＩ＃１及び＃２の間で上記フィールド値セットが同一ではない、又は、ＤＣＩ＃１及び＃２の間で上記フィールド値セットが所定値（例えば、delta）に固定されない場合、ＵＥは、当該ＤＣＩ＃１及び＃２でスケジューリングされるＣＷ＃１及び＃２が単一のＴＢの複製ではないと理解し、当該ＣＷ＃１及び＃２をソフトコンバイニングしなくともよい。
【００７１】
例えば、ＤＣＩ＃１及び＃２（ＣＷ＃１及び＃２）の間で、新規データ又は再送データのいずれであるかは同一であってもよい。すなわち、ＣＷ＃１及び＃２が単一のＴＢの複製であるなら、ＤＣＩ＃１及び＃２内のＮＤＩフィールドの値は同一であってもよい。また、ＤＣＩ＃１及び＃２（ＣＷ＃１及び＃２）の間で、ＣＷ＃１及び＃２が単一のＴＢの複製であるなら、ＨＰＮフィールドの値は同一であってもよい。
【００７２】
一方、ＣＷ＃１及び＃２が単一のＴＢの複製であっても、ＤＣＩ＃１及び＃２（ＣＷ＃１及び＃２）の間で、ＭＣＳフィールド、ＲＶフィールド、ＡＰフィールドの少なくとも一つの値は異なってもよいし、又は、同一であってもよい。例えば、ＤＣＩ＃１のＲＶフィールドが０を示し、ＤＣＩ＃２のＲＶフィールドが０又は２を示してもよい。
【００７３】
例えば、ＤＣＩ＃１及び＃２の一方のＮＤＩフィールド値が新規データであることを示し（トグルされ（toggled））、他方のＮＤＩフィールド値が再送であることを示す（トグルされない）なら、ＵＥは、当該ＤＣＩ＃１及び＃２でスケジューリングされるＣＷ＃１及び＃２が単一のＴＢの複製ではないと理解し、当該ＣＷ＃１及び＃２をソフトコンバイニングしなくともよい。
【００７４】
一方、ＤＣＩ＃１及び＃２の双方のＮＤＩフィールド値が新規データ又は再送であることを示すなら、ＵＥは、当該ＤＣＩ＃１及び＃２でスケジューリングされるＣＷ＃１及び＃２が単一のＴＢの複製ではあると理解し、当該ＣＷ＃１及び＃２をソフトコンバイニングしてもよい。
【００７５】
第１の態様によれば、同一のＴＢに基づいて生成されるＣＷ＃１及び＃２が異なるＤＣＩ＃１及び＃２によりスケジューリングされる場合に、ＣＷ＃１及び＃２のソフトコンバイニングを適切に制御できる。
【００７６】
（第２の態様）
第２の態様では、同一のＴＢに基づいて生成される複数のＣＷが単一のＤＣＩによってスケジューリングされる点で第１の態様と異なる。具体的には、同一のＴＢから生成される２つのＣＷのために、一つのＤＣＩが複数のレイヤのＰＤＳＣＨのスケジューリングに用いられてもよい。以下では、第１の態様との相違点を中心に説明する。
【００７７】
図５は、第２の態様に係るスケジューリングの一例を示す図である。例えば、図５では、単一のＤＣＩは、レイヤ＃０〜＃７（及びＤＭＲＳポート＃０〜＃７）の中で一以上のレイヤにマッピングされるＰＤＳＣＨ＃１（ＣＷ＃１）及び残りのレイヤにマッピングされるＰＤＳＣＨ＃２（ＣＷ＃２）をスケジュールする。
【００７８】
ＣＷ＃１及び＃２をどのレイヤにマッピングするかは、予め仕様で定められていてもよいし、所定のパラメータ（例えば、ＣＷ数及びレイヤ数）に従って決定されてもよい。例えば、図５では、ＣＷ＃１がレイヤ＃０〜＃３にマッピングされ、ＣＷ＃２がレイヤ＃４〜＃７にマッピングされるが、これに限られない。
【００７９】
また、図５では、例えば、レイヤ＃０〜＃３は、ＤＭＲＳポート＃０〜＃３に関連それぞれ関連付けられ、レイヤ＃４〜＃７は、ＤＭＲＳポート＃４〜＃７にそれぞれ関連付けられるが、これに限られない。ＤＭＲＳポート＃０〜＃３及び＃４〜＃７は、それぞれ異なるＤＭＲＳポートグループ＃１及び＃２に属してもよい。
【００８０】
図５に示されるＣＷ＃１及び＃２をスケジューリングする単一のＤＣＩは、ＤＭＲＳポート＃０〜＃３及び＃４〜＃７（ＤＭＲＳポートグループ＃１及び＃２）それぞれのＱＣＬ関係に関する情報（例えば、ＴＣＩ状態又はＴＣＩ状態ＩＤ）を含んでもよい。すなわち、図２に示すように、同一のＤＣＩによりスケジューリングされるＣＷ＃１及び＃２が異なるＴＲＰ＃１及び＃２から送信されてもよい。
【００８１】
図５において、ＵＥは、サーチスペース又は当該サーチスペースを構成するＰＤＣＣＨ候補を監視して、当該ＤＣＩを検出してもよい。
【００８２】
図５に示すように、同一のＴＢから生成されるＣＷ＃１及び＃２が単一のＤＣＩによってスケジューリングされる場合、ＵＥは、異なるＤＭＲＳポートグループ（レイヤ）のＰＤＳＣＨで送信されるＣＷ＃１及び＃２のソフトコンバイニングを制御してもよい。例えば、ＵＥは、以下の第４〜第６のソフトコンバイニング制御の少なくとも一つを適用してもよい。
【００８３】
（４）第４のソフトコンバイニング制御
単一のＴＢのＣＷ＃１及び＃２への複製が設定されない場合、ＵＥは、ＣＷ＃１及び＃２のソフトコンバイニングを行わなくともよい。具体的には、ＵＥは、第１のソフトコンバイニング制御で説明したように、動作してもよい。
【００８４】
（５）第５のソフトコンバイニング制御
単一のＴＢのＣＷ＃１及び＃２への複製が設定される場合、ＵＥは、ＣＷ＃１及び＃２のソフトコンバイニングを行ってもよい。具体的には、ＵＥは、第２のソフトコンバイニング制御で説明したように、動作してもよい。
【００８５】
（６）第６のソフトコンバイニング制御
ＵＥは、上記単一のＤＣＩに基づいて、上記ＣＷ＃１及び＃２のソフトコンバイニングを制御してもよい。具体的には、ＵＥは、以下の（６．１）〜（６．４）の少なくとも一つに基づいて、上記ＣＷ＃１及び＃２のソフトコンバイニングを制御してもよい。
（６．１）上記単一のＤＣＩのＣＲＣスクランブルに用いられるＲＮＴＩ
（６．２）上記単一のＤＣＩが検出されるサーチスペース
（６．３）上記単一のＤＣＩのフォーマット（ＤＣＩフォーマット）
（６．４）上記単一のＤＣＩに含まれる一以上のフィールドの値
【００８６】
（６．１）ＲＮＴＩ
ＵＥは、上記単一のＤＣＩのＣＲＣスクランブルに用いられるＲＮＴＩが特定のＲＮＴＩ（例えば、Ｘ−ＲＮＴＩ、ＭＣＳ−Ｃ−ＲＮＴＩ等）である場合、ＵＥは、当該ＤＣＩスケジューリングされるＣＷ＃１及び＃２が単一のＴＢの複製であると理解し、当該ＣＷ＃１及び＃２をソフトコンバイニングしてもよい。
【００８７】
ＵＥは、上記単一のＤＣＩのＣＲＣスクランブルに用いられるＲＮＴＩが当該特定のＲＮＴＩ以外のＲＮＴＩ（例えば、Ｃ−ＲＮＴＩ）である場合、ＵＥは、当該ＤＣＩでスケジューリングされるＣＷ＃１及び＃２が単一のＴＢの複製ではないと理解し、当該ＣＷ＃１及び＃２をソフトコンバイニングしなくともよい。
【００８８】
（６．２）サーチスペース
ＵＥは、上記単一のＤＣＩが検出されるサーチスペースが特定の構成である場合、ＵＥは、当該ＤＣＩでスケジューリングされるＣＷ＃１及び＃２が単一のＴＢの複製であると理解し、当該ＣＷ＃１及び＃２をソフトコンバイニングしてもよい。当該特定の構成は、例えば、サーチスペースの識別子（サーチスペースＩＤ）が所定の値（例えば、６）より大きい又は所定の値（例えば、７）以上であることであってもよい。
【００８９】
ＵＥは、上記単一のＤＣＩが検出されるサーチスペースが当該特定の構成以外の構成（例えば、サーチスペースＩＤが所定の値（例えば、７）より小さい又は所定の値（例えば、６）以下である）である場合、ＵＥは、当該ＤＣＩでスケジューリングされるＣＷ＃１及び＃２が単一のＴＢの複製ではないと理解し、当該ＣＷ＃１及び＃２をソフトコンバイニングしなくともよい。
【００９０】
（６．３）ＤＣＩフォーマット
ＵＥは、上記単一のＤＣＩが特定のＤＣＩフォーマット（ＤＣＩフォーマット１＿０又は１＿１以外のＤＣＩフォーマット（例えば、ＤＣＩフォーマット１＿２））である場合、ＵＥは、当該ＤＣＩでスケジューリングされるＣＷ＃１及び＃２が単一のＴＢの複製であると理解し、当該ＣＷ＃１及び＃２をソフトコンバイニングしてもよい。
【００９１】
ＵＥは、上記単一のＤＣＩが当該特定のＤＣＩフォーマット以外のＤＣＩフォーマット（例えば、ＤＣＩフォーマット１＿１ある場合、ＵＥは、当該ＤＣＩでスケジューリングされるＣＷ＃１及び＃２が単一のＴＢの複製ではないとと理解し、当該ＣＷ＃１及び＃２をソフトコンバイニングしなくともよい。
【００９２】
（６．４）ＤＣＩ内の一以上のフィールド値
上記単一のＤＣＩには、ＣＷ＃１及び＃２が単一のＴＢの複製であるか否かを示す所定ビット数のフィールドが追加されてもよい（６．４．１）。或いは、当該ＤＣＩに含まれる一以上のフィールドの値のセット（フィールド値セット）が、ＣＷ＃１及び＃２が単一のＴＢの複製であるか否かを示してもよい（６．４．２）。
【００９３】
或いは、当該ＤＣＩに基づいて決定されるＣＷ＃１及び＃２それぞれに対応するＴＢのサイズ（ＴＢＳ）が、ＣＷ＃１及び＃２が単一のＴＢの複製であるか否かを示してもよい（６．４．３）。或いは、当該ＤＣＩ内の所定フィールドの少なくとも一つのビットがＣＷ＃１及び＃２が単一のＴＢの複製であるか否かを示すことが上位レイヤで設定されてもよい（６．４．４）。
【００９４】
図６Ａ〜６Ｃは、第２の態様に係るＣＷ＃１及び＃２のスケジューリングに用いられるＤＣＩの一例を示す図である。
【００９５】
（６．４．１）追加のフィールド
図６Ａに示すように、上記単一のＤＣＩには、それぞれ、ＣＷ＃１及び＃２が単一のＴＢの複製であるか否かを示す所定ビット数（例えば、１ビット）のフィールドが追加されてもよい。ＵＥは、当該フィールドの値に基づいて、ＣＷ＃１及び＃２のソフトコンバイニングを制御してもよい。
【００９６】
例えば、当該フィールドの値が所定値（例えば、１）である場合、ＵＥは、当該ＤＣＩ＃１及び＃２でスケジューリングされるＣＷ＃１及び＃２が単一のＴＢの複製であると理解し、当該ＣＷ＃１及び＃２をソフトコンバイニングしてもよい。
【００９７】
（６．４．２）ＣＷ＃１又は＃２のいずれか用のフィールド値セット
一般に、単一のＤＣＩで２つのＴＢをスケジューリングする場合、当該ＤＣＩは、一以上のフィールドの値のセット（フィールド値セット）をＴＢ毎に含んでもよい。なお、同一のＴＢに基づく２つのＣＷをスケジューリングする場合、ＴＢ毎のフィールド値セットは、ＣＷ毎のフィールド値セットと言い換えることができる。
【００９８】
ＣＷ＃１及び＃２が単一のＴＢの複製である場合、ＭＣＳフィールド、ＮＤＩフィールド、ＲＶフィールド等のＴＢ毎のフィールド値セットは同一であればよく、いずれか一方は冗長である。
【００９９】
このため、ＵＥは、ＣＷ＃１及び＃２のいずれか一方のフィールド値セットに基づいて、ＣＷ＃１及び＃２双方の受信処理（例えば、復調、復号等）を行い、他方のフィールド値セットに基づいて（各値が矛盾するか否かに基づいて）、ＣＷ＃１及び＃２が単一のＴＢの複製であるか否かを認識してもよい。すなわち、ＵＥは、当該ＤＣＩ内のＣＷ＃１又は＃２のいずれか一方のフィールド値セットに基づいて、ＣＷ＃１及び＃２のソフトコンバイニングを制御してもよい。
【０１００】
例えば、図６Ｂに示すように、ＣＷ＃１又はＣＷ＃２のいずれか（図６Ｂでは、ＣＷ＃２）において、ＮＤＩフィールド値がトグルされている（すなわち、ＣＷが新規データであることを示す）が、ＭＣＳフィールド値（ＭＣＳインデックス）が特定の値（例えば、２９〜３１又は２８〜３１のいずれか）である（すなわち、ＣＷが再送データであることを示す）場合、ＵＥは、当該ＤＣＩでスケジューリングされるＣＷ＃１及び＃２が単一のＴＢの複製であると理解し、当該ＣＷ＃１及び＃２をソフトコンバイニングしてもよい。
【０１０１】
一方、ＣＷ＃１又はＣＷ＃２それぞれのフィールド値セット内の各値が矛盾しない場合、ＵＥは、上記単一のＤＣＩでスケジューリングされるＣＷ＃１及び＃２が単一のＴＢの複製ではないと理解し、当該ＣＷ＃１及び＃２をソフトコンバイニングしなくともよい。
【０１０２】
（６．４．３）ＴＢＳ
ＵＥは、当該ＤＣＩ内の所定フィールド（例えば、ＭＣＳフィールド）の値に基づいて決定されるＣＷ＃１及び＃２それぞれに対応するＴＢのサイズ（ＴＢＳ）に基づいて、ＣＷ＃１及び＃２のソフトコンバイニングを制御してもよい。
【０１０３】
ＵＥは、単一のＤＣＩ内のＣＷ＃１用のＭＣＳフィールド値（ＭＣＳインデックス）に基づいて、ＣＷ＃１に対応するＴＢＳを決定する。同様に、単一のＤＣＩ内のＣＷ＃２用のＭＣＳフィールド値に基づいて、ＣＷ＃２に対応するＴＢＳを決定する。
【０１０４】
例えば、ＣＷ＃１及び＃２についてそれぞれ決定されたＴＢＳが同一である（及び当該ＴＢＳが所定の閾値よりも小さい又は所定の閾値以下である）場合、ＵＥは、単一のＤＣＩでスケジューリングされるＣＷ＃１及び＃２が単一のＴＢの複製であると理解し、当該ＣＷ＃１及び＃２をソフトコンバイニングしてもよい。
【０１０５】
一方、ＣＷ＃１及び＃２についてそれぞれ決定されたＴＢＳが同一ではない場合、又は、当該ＴＢＳが同一であっても所定の閾値よりも大きい又は所定の閾値以上である場合、ＵＥは、単一のＤＣＩでスケジューリングされるＣＷ＃１及び＃２が単一のＴＢの複製ではないと理解し、当該ＣＷ＃１及び＃２をソフトコンバイニングしなくともよい。
【０１０６】
（６．４．４）上位レイヤで設定される所定フィールドの少なくとも一つのビット
ＵＥは、当該ＤＣＩ内の所定フィールドの少なくとも一つのビットがＣＷ＃１及び＃２が単一のＴＢの複製であるか否かを示すことが上位レイヤで設定される場合、当該ビット値に基づいて、ＣＷ＃１及び＃２のソフトコンバイニングを制御してもよい。ここでは、当該所定フィールドが、ＣＷ＃２用のＲＶフィールドである一例を説明するが、これに限られない。
【０１０７】
例えば、図６Ｃでは、ＵＥは、ＣＷ＃１及び＃２が単一のＴＢの複製であるか否か（ＣＷ＃２がＣＷ＃１のコピーであるか否か）が、ＣＷ＃２用のＲＶフィールドの所定ビット（例えば、最上位ビット（ＭＳＢ：Most  Significant  Bit））によって示されることを示す情報を受信してもよい。例えば、ＵＥには、上位レイヤシグナリングにより、ＣＷ＃２用のＲＶフィールドの当該所定ビットの用途が設定（configure）されてもよい。
【０１０８】
ＵＥは、ＣＷ＃２用のＲＶフィールドの所定ビットが特定の値（例えば、ＭＳＢが１）である場合、ＵＥは、単一のＤＣＩでスケジューリングされるＣＷ＃１及び＃２が単一のＴＢの複製であると理解し、当該ＣＷ＃１及び＃２をソフトコンバイニングしてもよい。この場合、ＵＥは、当該ＲＶフィールドの他のビット（例えば、最下位ビット（ＬＳＢ：Least  Significant  Bit））の値が示すＲＶ（例えば、０又は２）に基づいて、ＲＶの受信処理（例えば、復号）を制御してもよい。
【０１０９】
一方、ＵＥは、ＣＷ＃２用のＲＶフィールドの所定ビットが上記特定の値以外の値（例えば、０）である場合、ＵＥは、単一のＤＣＩでスケジューリングされるＣＷ＃１及び＃２が単一のＴＢの複製ではないと理解し、当該ＣＷ＃１及び＃２をソフトコンバイニングしなくともよい。
【０１１０】
第２の態様によれば、同一のＴＢに基づいて生成されるＣＷ＃１及び＃２が単一のＤＣＩによりスケジューリングされる場合に、ＣＷ＃１及び＃２のソフトコンバイニングを適切に制御できる。
【０１１１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１１２】
図７は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１１３】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビティ（ＥＮ−ＤＣ：E-UTRA-NR  Dual  Connectivity）、ＮＲとＬＴＥとのデュアルコネクティビティ（ＮＥ−ＤＣ：NR-E-UTRA  Dual  Connectivity）などを含んでもよい。
【０１１４】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１１５】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１１６】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１１７】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１１８】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１１９】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１２０】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１２１】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１２２】
ユーザ端末２０は、ＬＴＥ、ＬＴＥ−Ａ、５Ｇなどの通信方式の少なくとも１つに対応した端末であってもよい。
【０１２３】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１２４】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１２５】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１２６】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１２７】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１２８】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１２９】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１３０】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１３１】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１３２】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１３３】
なお、本開示において下りリンク、上りリンクなどは「リンク」を付けずに表現されてもよい。また、各種チャネルの先頭に「物理（Physical）」を付けずに表現されてもよい。
【０１３４】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１３５】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１３６】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１３７】
（基地局）
図８は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１３８】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１３９】
制御部１１０は、基地局１０全体の制御を実施する。制御部１１０は、本開示に係る技術分野での共通認識に基づいて説明されるコントローラ、制御回路などから構成することができる。
【０１４０】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１４１】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１４２】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１４３】
送受信アンテナ１３０は、本開示に係る技術分野での共通認識に基づいて説明されるアンテナ、例えばアレイアンテナなどから構成することができる。
【０１４４】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１４５】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１４６】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１４７】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１４８】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１４９】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１５０】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５１】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１５２】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１５３】
なお、本開示における基地局１０の送信部及び受信部は、送受信部１２０、送受信アンテナ１３０及び伝送路インターフェース１４０の少なくとも１つによって構成されてもよい。
【０１５４】
また、送受信部１２０は、上り信号（例えば、上り制御チャネル、上り共有チャネル、上り参照信号など）を受信する。また、送受信部１２０は、下り信号（例えば、下り制御チャネル、下り共有チャネル、下り参照信号、下り制御情報、上位レイヤパラメータなど）を送信する。
【０１５５】
具体的には、送受信部１２０は、復調用参照信号用の複数のアンテナポートにそれぞれ関連付けられる複数のレイヤを用いて、同一のトランスポートブロックに基づいて生成される複数のコードワードを送信又は受信してもよい。
【０１５６】
また、送受信部１２０は、前記複数のコードワードをそれぞれスケジューリングする複数の下り制御情報を送信してもよい（第１の態様）。
【０１５７】
また、送受信部１２０は、前記複数のコードワードをスケジューリングする単一の下り制御情報を送信してもよい（第２の態様）。
【０１５８】
また、制御部１１０は、前記複数のコードワードのソフトコンバイニングを制御してもよい。
【０１５９】
（ユーザ端末）
図９は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１６０】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１６１】
制御部２１０は、ユーザ端末２０全体の制御を実施する。制御部２１０は、本開示に係る技術分野での共通認識に基づいて説明されるコントローラ、制御回路などから構成することができる。
【０１６２】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１６３】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１６４】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１６５】
送受信アンテナ２３０は、本開示に係る技術分野での共通認識に基づいて説明されるアンテナ、例えばアレイアンテナなどから構成することができる。
【０１６６】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１６７】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１６８】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１６９】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１７０】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１７１】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１７２】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１７３】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７４】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１７５】
なお、本開示におけるユーザ端末２０の送信部及び受信部は、送受信部２２０、送受信アンテナ２３０及び伝送路インターフェース２４０の少なくとも１つによって構成されてもよい。
【０１７６】
なお、送受信部２２０は、上り信号（例えば、上り制御チャネル、上り共有チャネル、上り参照信号など）を送信する。また、送受信部２２０は、下り信号（例えば、下り制御チャネル、下り共有チャネル、下り参照信号、下り制御情報、上位レイヤパラメータなど）を受信する。
【０１７７】
具体的には、送受信部２２０は、復調用参照信号用の複数のアンテナポートにそれぞれ関連付けられる複数のレイヤを用いて、同一のトランスポートブロックに基づいて生成される複数のコードワードを受信又は送信してもよい。
【０１７８】
また、送受信部２２０は、前記複数のコードワードをそれぞれスケジューリングする複数の下り制御情報を受信してもよい（第１の態様）。
【０１７９】
また、送受信部２２０は、前記複数のコードワードをスケジューリングする単一の下り制御情報を受信してもよい（第２の態様）。
【０１８０】
また、制御部２１０は、前記複数のコードワードのソフトコンバイニングを制御してもよい。
【０１８１】
例えば、制御部２１０は、前記複数の下り制御情報の少なくとも一つの、巡回冗長符号（ＣＲＣ）のスクランブルに用いられる無線ネットワーク一時識別子（ＲＮＴＩ）、サーチスペース、フォーマット、又は、一以上のフィールドの値に基づいて、前記複数のコードワードのソフトコンバイニングを制御してもよい（第１の態様の第３のソフトコンバイニング制御）。
【０１８２】
また、制御部２１０は、前記単一の下り制御情報の、巡回冗長符号（ＣＲＣ）のスクランブルに用いられる無線ネットワーク一時識別子（ＲＮＴＩ）、サーチスペース、フォーマット、又は、一以上のフィールドの値に基づいて、前記複数のコードワードのソフトコンバイニングを制御してもよい（第２の態様の第３のソフトコンバイニング制御）。
【０１８３】
また、制御部２１０は、上位レイヤシグナリングにより設定される情報に基づいて、前記複数のコードワードのソフトコンバイニングを制御してもよい（第１の態様の第１及び第２のソフトコンバイニング制御、第２の態様の第４及び第５のソフトコンバイニング制御）。
【０１８４】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１８５】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１８６】
例えば、本開示の一実施形態における基地局、ユーザ端末などは、本開示の無線通信方法の処理を行うコンピュータとして機能してもよい。図１０は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８７】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１８８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１８９】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１９０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１９１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１９２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１９３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１９５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１９６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９７】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９８】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９９】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２００】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０１】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２０２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２０３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２０４】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２０７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２０８】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２０９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１０】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２１１】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２１２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２１５】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２１６】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２１７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１８】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１９】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２０】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２１】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２２２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２３】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２２９】
本開示において使用する「システム」及び「ネットワーク」という用語は、互換的に使用され得る。「ネットワーク」は、ネットワークに含まれる装置（例えば、基地局）のことを意味してもよい。
【０２３０】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２３１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２３２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２３３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２３４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３５】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２３６】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２３７】
同様に、本開示におけるユーザ端末は、基地局で読み替えてもよい。この場合、上述のユーザ端末２０が有する機能を基地局１０が有する構成としてもよい。
【０２３８】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２４０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２４１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２４３】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２４４】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２４５】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４６】
また、「判断（決定）」は、「想定する（assuming）」、「期待する（expecting）」、「みなす（considering）」などで読み替えられてもよい。
【０２４７】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２４８】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２４９】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２５０】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２５１】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２５２】
本開示において、例えば、英語でのa,  an及びtheのように、翻訳によって冠詞が追加された場合、本開示は、これらの冠詞の後に続く名詞が複数形であることを含んでもよい。
【０２５３】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020075233.tif 000003
【図２】
2020075233.tif 000004
【図３】
2020075233.tif 000005
【図４】
2020075233.tif 000006
【図５】
2020075233.tif 000007
【図６】
2020075233.tif 000008
【図７】
2020075233.tif 000009
【図８】
2020075233.tif 000010
【図９】
2020075233.tif 000011
【図１０】
2020075233.tif 000012
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
１以上の復調用参照信号（DeModulation  Reference  Signal（ＤＭＲＳ））ポートを有するグループにそれぞれ対応する２つの送信構成指示（Transmission  Configuration  Indication（ＴＣＩ））状態を示す、下り制御情報を受信する受信部と、
前記下り制御情報に基づいて、単一の物理下りリンク共有チャネルの受信を制御する制御部と、
を有する端末。
【請求項２】
１以上の復調用参照信号（DeModulation  Reference  Signal（ＤＭＲＳ））ポートを有するグループにそれぞれ対応する２つの送信構成指示（Transmission  Configuration  Indication（ＴＣＩ））状態を示す、下り制御情報を受信する工程と、
前記下り制御情報に基づいて、単一の物理下りリンク共有チャネルの受信を制御する工程と、
を有する端末の無線通信方法。
【請求項３】
１以上の復調用参照信号（DeModulation  Reference  Signal（ＤＭＲＳ））ポートを有するグループにそれぞれ対応する２つの送信構成指示（Transmission  Configuration  Indication（ＴＣＩ））状態を示す、下り制御情報を送信する送信部と、
前記下り制御情報に基づいて、単一の物理下りリンク共有チャネルの送信を制御する制御部と、
を有する基地局。
【請求項４】
基地局と端末とを有するシステムであって、
前記基地局は、
１以上の復調用参照信号（DeModulation  Reference  Signal（ＤＭＲＳ））ポートを有するグループにそれぞれ対応する２つの送信構成指示（Transmission  Configuration  Indication（ＴＣＩ））状態を示す、下り制御情報を送信する送信部を有し、
前記端末は、
前記下り制御情報を受信する受信部と、
前記下り制御情報に基づいて、単一の物理下りリンク共有チャネルの受信を制御する制御部と、
を有するシステム。
【手続補正３】
【補正対象書類名】明細書
【補正対象項目名】０００９
【補正方法】変更
【補正の内容】
【０００９】
本開示の一態様に係る端末は、１以上の復調用参照信号（DeModulation  Reference  Signal（ＤＭＲＳ））ポートを有するグループにそれぞれ対応する２つの送信構成指示（Transmission  Configuration  Indication（ＴＣＩ））状態を示す、下り制御情報を受信する受信部と、前記下り制御情報に基づいて、単一の物理下りリンク共有チャネルの受信を制御する制御部と、を有することを特徴とする。
【国際調査報告】
2020075233.tif 000013
2020075233.tif 000014
2020075233.tif 000015
2020075233.tif 000016